(57)【要約】【課題】オーディオデータが記録されたアナログレコードによって他の電子機器のオーディオデータを簡単に制御することができる回転検出装置を提供する。【解決手段】支持部材１０ａを回転させると滑り防止部材９ｄがアナログレコード４の厚肉部４ａと密着して、滑り防止部材９ｄとアナログレコード４との間の摩擦力によって回転体９ａがアナログレコード４に対して回転可能な状態になる。アナログレコード４を再生しながらアナログレコード４を演奏者がスクラッチ操作すると、アナログレコード４の回転に応じて回転体９ａがシャフト９ｅを中心に回転する。この回転体９ａの回転速度及び回転方向をロータリエンコーダ９ｂが検出してパルス信号を出力し、このパルス信号に基づいてデータ再生装置３のオーディオデータがスクラッチ制御される。【選択図】　　　図４
2004087094.tif 000002
【特許請求の範囲】
【請求項１】
（ａ）　ディジタルオーディオデータが蓄積されている記憶媒体と、
この記憶媒体のディジタルオーディオデータを検出する検出手段と、
この検出手段の出力信号と外部から供給される再生速度信号及び再生方向信号とに応じて、前記ディジタルオーディオデータを再生する演算処理部
からなる、ディジタルオーディオデータ再生装置と、
（ｂ）　アナログレコード或は類似する円盤に対するターンテーブルと、
このターンテーブルに対する回転駆動手段と
からなる、アナログレコードプレーヤと、
（ｃ）　前記アナログレコードプレーヤに取り付けられ、このターンテーブル或はこのターンテーブルによって回転駆動されるアナログレコード或は類似する円盤の回転速度及び回転方向を検出し、これらの検出信号から前記回転速度信号及び前記回転方向信号を求めて前記ディジタルオーディオデータ再生装置へ供給する回転検出装置と
を備えたことを特徴とする、ディジタルオーディオデータ再生システム。
【請求項２】
前記回転検出装置は、
（ａ）　前記ターンテーブル或はこのターンテーブルによって回転駆動されるアナログレコード或は類似する円盤と接触して回転する回転体と、
（ｂ）　前記回転体の回転軸に連結しているエンコーダディスクと、このエンコーダディスクを読み取る光電検出器と
から成るロータリエンコーダと
で構成されていることを特徴とする、請求項１記載のディジタルオーディオデータ再生システム。
【請求項３】
前記回転検出装置は更に、
前記回転体及び前記ロータリエンコーダを、操作者の操作によって、前記アナログレコード或は類似する円盤と接触する第一の位置と、前記アナログレコード或は類似する円盤から離間する第二の位置とに切替えられる支持手段を具備することを特徴とする、請求項２記載のディジタルオーディオデータ再生システム。
【請求項４】
前記回転検出装置は、
（ａ）　前記アナログレコード或は類似する円盤の表面を画像データとして読み取るイメージセンサと、
（ｂ）　前記イメージセンサから出力される画像データに基づき前記再生速度信号及び前記再生方向信号を求めて出力する演算部と
で構成されている、請求項１記載のディジタルオーディオデータ再生システム。
【請求項５】
前記回転検出装置の前記演算部の出力端に、操作者の操作によって、少なくとも前記ディジタルオーディオデータ再生装置への前記再生速度信号の伝送を導通・遮断するスイッチ手段を備えることを特徴とする、請求項４記載のディジタルオーディオデータ再生システム。
【発明の詳細な説明】
【０００１】
【発明の属する技術分野】
この発明は、ディジタルオーディオデータを操作者の操作によって再生速度及び再生方向を変化させながら再生する、いわゆる「スクラッチプレイ」を行う、ディジタルオーディオデータ再生システムに関する。
【０００２】
【従来の技術】
アナログレコードプレーヤのターンテーブル上でアナログレコードを強制的に手動で回転させてこのアナログレコードの回転速度や回転方向を変化させ、特殊な効果音を発生させるスクラッチ操作が知られている。近年では、ジョグダイヤルやアナログレコードプレーヤのターンテーブルなどをスクラッチ操作して、ディジタルオーディオ再生装置におけるディジタルオーディオデータの再生処理を制御するスクラッチ再生方法などが知られている。特に、タイムコードを表現する音声信号が記録されている特殊なアナログレコードをアナログレコードプレーヤのターンテーブル上に搭載して、通常のカートリッジによってこの特殊なアナログレコードを再生し、例えばコンピュータ内のディジタルオーディオデータの再生動作をこのタイムコードによって制御するスクラッチ再生方法が知られている。なお、この特殊なアナログレコードは、タイムコードデータが周知のＦＳＫ変調等の変調方法にて音声信号周波数帯の信号に変調／変換され、記録されている。すなわち、アナログレコードプレーヤをジョグダイヤルと等価な機能を持つデバイスとして機能させて、再生されるタイムコードによってディジタルオーディオ機器の再生動作を制御する手法である。
【０００３】
【発明が解決しようとする課題】
前記の、レコードプレーヤでディジタルオーディオ機器の再生動作を制御する従来のスクラッチ再生方法は、通常のアナログレコードの代わりに、タイムコード信号が記録されている、前述の特殊なアナログレコードをレコードプレーヤで再生するので、通常のアナログレコードのスクラッチ再生と瞬時に切替えることが出来ない。
もし、通常のアナログレコードを再生しようとするならば、ディジタルオーディオ機器の制御信号として用いていたピックアップの出力をアナログオーディオアンプへ供給すべく切替える作業と、ターンテーブル上に特殊なアナログレコードから通常のアナログレコードへ載せ変える作業が必要になり、これら作業は煩わしい。
【０００４】
それ故、この発明の課題は、特殊なアナログレコードと通常のアナログレコードを切り替えて再生を行わなければならない従来技術のスクラッチ再生方法での操作の煩雑さをなくし、構造が単純で、低製造経費で実現できる新規なディジタルオーディオ再生システムを提供することにある。
【０００５】
【課題を解決するための手段】
本発明によるディジタルオーディオ再生システムの第１の特徴によれば、
ディジタルオーディオデータが蓄積されている記憶媒体と、この記憶媒体のディジタルオーディオデータを検出する検出手段と、この検出手段の出力信号と外部から供給される再生速度信号及び再生方向信号とに応じて、前記ディジタルオーディオデータを再生する演算処理部からなる、例えばＣＤプレーヤや、半導体メモリやハードディスク等に蓄積されているディジタルオーディオファイルを再生する機能を備えるパソコン等の、ディジタルオーディオデータ再生装置と、アナログレコード或は類似する円盤に対するターンテーブルと、このターンテーブルに対する回転駆動手段とからなる、アナログレコードプレーヤと、前記アナログレコードプレーヤに取り付けられ、このターンテーブル或はこのターンテーブルによって回転駆動されるアナログレコード或は類似する円盤の回転速度及び回転方向を検出し、これらの検出信号から前記回転速度信号及び前記回転方向信号を求めて前記ディジタルオーディオデータ再生装置へ供給する回転検出装置と
を備えている。
【０００６】
本発明によるディジタルオーディオ再生システムの第２の特徴によれば、
前記回転検出装置は、前記ターンテーブル或はこのターンテーブルによって回転駆動されるアナログレコード或は類似する円盤と接触して回転する回転体と、前記回転体の回転軸に連結しているエンコーダディスクと、このエンコーダディスクを読み取る光電検出器とから成るロータリエンコーダと
を備えている。
【０００７】
本発明によるディジタルオーディオ再生システムの第３の特徴によれば、
前記回転検出装置は更に、前記回転体及び前記ロータリエンコーダを、操作者の操作によって、前記アナログレコード或は類似する円盤と接触する第一の位置と、前記アナログレコード或は類似する円盤から離間する第二の位置とに切替えられる支持手段
を備えている。
【０００８】
本発明によるディジタルオーディオ再生システムの第４の特徴によれば、
前記回転検出装置は、前記アナログレコード或は類似する円盤の表面を画像データとして読み取るイメージセンサと、前記イメージセンサから出力される画像データに基づき前記再生速度信号及び前記再生方向信号を求めて出力する演算部とを備えている。
【０００９】
本発明によるディジタルオーディオ再生システムの第５の特徴によれば、
前記回転検出装置の前記演算部の出力端に、操作者の操作によって、少なくとも前記ディジタルオーディオデータ再生装置への前記再生速度信号の伝送を導通・遮断するスイッチ手段
を備えている。
【００１０】
【発明の実施の形態】
（第１実施形態）
以下、図面を参照して、この発明の第１実施形態について詳しく説明する。
図１は、この発明の第１実施形態に係る回転検出装置を備えるスクラッチ再生システムの構成図である。
スクラッチ再生システム１は、アナログレコードプレーヤ５のスクラッチ操作に応じてデータ再生装置３が再生するオーディデータを制御するシステムである。スクラッチ再生システム１は、図１に示すように、光ディスク２と、データ再生装置３と、アナログレコード４と、アナログレコードプレーヤ５と、回転検出装置６などから構成されている。
【００１１】
光ディスク２は、オーディオデータが記録されたコンパクトディスクや直径６４ｍｍのミニディスクなどである。データ再生装置３は、光ディスク２に記録されたオーディオデータを再生する装置である。データ再生装置３は、光ディスク２を回転駆動するスピンドルモータ３ａと、光ディスク２に記録されたオーディオデータを読み取る光学ヘッド３ｂと、この光学ヘッド３ｂの出力信号を処理する信号処理回路３ｃと、この信号処理回路３ｃが出力するオーディオデータを記憶するメモリ（ＲＡＭ）３ｄと、回転検出装置６の出力信号に基づいてメモリ３ｄが記憶するオーディオデータを読み出すためのアドレスを生成するアドレス制御部３ｅと、このアドレスに基づいてメモリ３ｄからオーディオデータを読み出して出力するメモリ制御部３ｆと、このメモリ制御部３ｆが出力するディジタル信号をアナログ信号に変換する信号処理回路３ｇと、このアナログ信号を出力する出力端子３ｈなどを備えている。
【００１２】
アナログレコード４は、オーディオデータを溝によって記録したアナログ盤（レコード盤）である。アナログレコードプレーヤ５は、アナログレコード４に記録されたオーディオデータを再生する装置である。アナログレコードプレーヤ５は、アナログレコード４を搭載して回転するターンテーブル５ａと、このターンテーブル５ａとアナログレコード４との間に挟み込まれるマット５ｂと、レコード針を装着するヘッドシェル５ｃと、このヘッドシェル５ｃを着脱自在に支持して水平方向に回転するトーンアーム５ｄなどを備えている。アナログレコードプレーヤ５は、ディスクジョッキ（ＤＪ）などの演奏者がアナログレコード４をスクラッチ操作するときに支障がないように、この演奏者からトーンアーム５ｄが最も離れるように設置されている。なお、演奏者によってはトーンアームが右側になる通常の設置状態にする場合もある。
【００１３】
図２は、この発明の第１実施形態に係る回転検出装置をアナログレコードプレーヤに装着した状態を示す図であり、図２（Ａ）は平面図であり、図２（Ｂ）は正面図である。図３は、この発明の第１実施形態に係る回転検出装置の斜視図である。図４は、この発明の第１実施形態に係る回転検出装置の平面図である。図５は、この発明の第１実施形態に係る回転検出装置の側面図である。図６は、この発明の第１実施形態に係る回転検出装置の検出動作時（ＯＮ）の正面図である。図７は、この発明の第１実施形態に係る回転検出装置の非検出動作時（ＯＦＦ）の正面図であり、図７（Ａ）はターンテーブルのシェルスタンド穴の形状を示す平面図であり、図７（Ｂ）はシェルスタンド穴に回転検出装置を装着した状態を示す正面図であり、図７（Ｃ）は回転検出装置の底面図である。
【００１４】
回転検出装置６は、演奏者のスクラッチプレイによって動かされる、オーディオデータが記録されたアナログレコード４あるいはターンテーブル５の回転速度及び回転方向を検出する装置である。回転検出装置６は、図２〜図７に示すように、ベース７と、シャーシ８と、検出部９と、切替部１０などを備えている。ベース７は、アナログレコードプレーヤ５に着脱自在に装着される部材である。ベース７は、質量の大きい円柱状の金属製の部材であり、図６及び図７に示すようにベース７の下部にはシェルスタンド５ｅと嵌合する嵌合ピン６ａが形成されている。嵌合ピン６ａは、図７（Ｂ）（Ｃ）に示すようにベース７の底面中心に形成された突起部７ａに圧入されており、先端部が突起部７ａの側面から突出している。ターンテーブル５には、図７（Ａ）に示すようにヘッドシェル５ｃを着脱自在に装着するシェルスタンド５ｅが形成されている。このシェルスタンド５ｅには、突起部７ａが嵌合する嵌合穴５ｆが形成されており、この嵌合穴５ｆの内周面には嵌合ピン６ａが嵌合する嵌合溝５ｇが形成されている。シャーシ８は、支持部材１０ａとベース７とを連結する部材であり、図４に示すようにねじ８ａによってベース７に固定されている。シャーシ８には、支持軸１０ｂ，１０ｃが貫通する貫通孔８ｃ，８ｄとが形成されている。
【００１５】
検出部９は、アナログレコード４の回転速度及び回転方向を検出する装置である。検出部９は、図１に示すデータ再生装置３が出力するオーディオデータを制御するための回転速度データ及び回転方向データを出力する。検出部９は、アナログレコードプレーヤ５に着脱自在に設置されており、演奏者がアナログレコード４をスクラッチ操作するときに支障がないような位置に設置されている。検出部９は、図４〜図７に示すように回転体９ａとロータリエンコーダ９ｂとを備えている。
【００１６】
回転体９ａは、アナログレコード４と回転接触する部材である。回転体９ａは、ローラ部９ｃと、滑り防止部材９ｄと、軸部９ｆとを備えている。ローラ部９ｃは、プラスチックなどの合成樹脂で成形された円筒状部材である。滑り防止部材９ｄは、アナログレコード４の周縁部の厚肉部（グルーブガード）４ａと接触したときにこの厚肉部４ａとの間の摩擦力を増大させる円環状のゴムなどである。滑り防止部材９ｄは、ローラ部９ｃの外周面に装着されている。シャフト９ｅは、ローラ部９ｃと一体に形成された軸部９ｆの中心を貫通する回転軸である。
【００１７】
ロータリエンコーダ９ｂは、回転体９ａの回転速度及び回転方向を検出する装置である。ロータリエンコーダ９ｂは、エンコーダディスク９ｇとフォトインタラプタ９ｈとを備えている。エンコーダディスク９ｇには、図５に示すように、円板状のポリエステルフィルムの円周方向に印刷された黒縞９ｉと、軸部９ｆと嵌合する嵌合孔９ｊとが形成されている。エンコーダディスク９ｇは、ローラ部９ｃと一体となって回転するように接着剤などによって軸部９ｆに固定されている。フォトインタラプタ９ｈは、光信号を電気信号に変換する光電気変換部である。フォトインタラプタ９ｈは、発光素子と受光素子との間にエンコーダディスク９ｇの黒縞９ｉが通過するように、ねじ９ｋ，９ｍによって支持部材１０ａに固定されている。フォトインタラプタ９ｈは、エンコーダディスク９ｇが回転したときに二相のパルス信号を生成して、このパルス信号の位相差から回転方向を検出するとともに、このパルス信号のパルス幅から回転速度を検出する。フォトインタラプタ９ｈは、検出した回転速度データ及び回転方向データを図１に示すアドレス制御部３ｅに出力する。
【００１８】
切替部１０は、検出部９を検出動作と非検出動作とに切り替える装置である。切替部１０は、図４に示すように、支持部材１０ａと支持軸１０ｂ，１０ｃとを備えている。支持部材１０ａは、検出部９を支持する板状の部材である。支持部材１０ａには、支持軸１０ｂ，１０ｃが貫通する貫通孔１０ｄ，１０ｅが形成されており、シャフト１０ｆの端部がかしめられ固定されている。支持部材１０ａは、図６及び図７に示すように、アナログレコード４に回転体９ａが接触する回転位置Ｐ１　とアナログレコード４から回転体９ａが離間する回転位置Ｐ２　とに切り替わる。支持軸１０ｂ，１０ｃは、支持部材１０ａとシャーシ８とを回転自在に連結する部材であり、支持部材１０ａが回転するときの支点となる。
【００１９】
次に、この発明の第１実施形態に係る回転検出装置の動作を説明する。
図４及び図６に示すように、支持軸１０ｂ，１０ｃを支点として支持部材１０ａを回転位置Ｐ１に回転させると、支持部材１０ａなどの自重によって滑り防止部材９ｄがアナログレコード４の厚肉部４ａと接触する。その結果、滑り防止部材９ｄとアナログレコード４との間の摩擦力によって、回転体９ａがアナログレコード４に従って回転可能な状態になり、検出部９が非検出動作から検出動作に切り替わる。ターンテーブル５ａを回転させてアナログレコード４を再生しながらアナログレコード４を演奏者がスクラッチ操作すると、アナログレコード４の回転に応じて回転体９ａがシャフト９ｅを中心に回転する。
【００２０】
回転体９ａが回転するとロータリエンコーダ９ｂがこの回転体９ａの回転速度及び回転方向を検出して、回転速度データ及び回転方向データをパルス信号として図１に示すアドレス制御部３ｅに出力する。このパルス信号に基づいてアドレス制御部３ｅがメモリ制御部３ｆをアドレス制御すると、メモリ３ｄが記憶するオーディオデータの読み出し速度及び読み出し方向をメモリ制御部３ｆが制御して、データ再生装置３のオーディオデータがスクラッチ制御される。一方、図４及び図７に示すように、支持軸１０ｂ，１０ｃを支点として支持部材１０ａを回転位置Ｐ２　に回転させると、アナログレコード４の厚肉部４ａから回転体９ａが離れて検出部９が検出動作から非検出動作に切り替わる。
【００２１】
図６に示すように、回転体９ａとアナログレコード４とを接触させた状態で、このアナログレコード４を再生しながら演奏者がスクラッチ操作すると、アナログレコード４がスクラッチ再生されるとともに演奏者のスクラッチ操作に同期してデータ再生装置３がオーディオデータをスクラッチ再生する。次に、トーンアーム５ｄを上げて、ヘッドシェル５ｃをアナログレコード４から離すと、アナログレコード４に記録されているオーディオ信号の再生が中断される。このように、アナログレコード４を再生しないで演奏者がスクラッチ操作したときには、演奏者のスクラッチ操作に同期してデータ再生装置３がオーディオデータをスクラッチ再生する。一方、図７に示すように、回転体９ａとアナログレコード４とを離間させた状態で、トーンアーム５ｄを下げて、ヘッドシェル５ｃをアナログレコード４に接触させて、このアナログレコード４を再生しながら演奏者がスクラッチ操作すると、アナログレコード４のみがスクラッチ再生されてデータ再生装置３はオーディオデータをそのまま再生する。
すなわち、本発明における回転検出装置は、ターンテーブル５ａ上のアナログレコード４に対してくっつけたり離したり出来るので、データ再生装置３に対して、アナログレコードプレーヤ５のトーンアーム５ｄ及びヘッドシェル５ｃと等しい操作感覚を演奏者にもたらす。
【００２２】
この発明の第１実施形態に係る回転検出装置には、以下に記載するような効果がある。
（１）　この第１実施形態では、オーディオデータが記録されたアナログレコード４の回転速度及び回転方向を検出部９が検出し、データ再生装置３が出力するオーディオデータを制御するための回転速度データ及び回転方向データをこの検出部９が出力する。その結果、従来のスクラッチ再生方法のように、タイムレコードが記録された専用アナログレコードを使用せずに、オーディオデータが記録されたアナログレコード４をスクラッチ操作するだけでデータ再生装置３のオーディオデータを制御することができる。また、ターンテーブル５ａに専用アナログレコードを装着する必要がないため、オーディオデータが記録されたアナログレコード４を再生しながら、光ディスク２に記録されたオーディオデータをデータ再生装置３によって再生することができる。
【００２３】
（２）　この第１実施形態では、アナログレコード４に回転体９ａを回転接触させて、この回転体９ａの回転速度及び回転方向をロータリエンコーダ９ｂが検出する。その結果、回転検出装置６を簡単に構成して安価に製造することができるとともに、既存のアナログレコードプレーヤ５に簡単に装着することができる。また、従来のスクラッチ再生方法のように、タイムデータを記録した専用アナログレコードをレコード針によって再生する必要がないため、ディジタルオーディオデータのスクラッチ再生の際にレコード針の消耗を防止することができる。
【００２４】
（３）　この第１実施形態では、アナログレコードプレーヤ５がそのままデータ再生装置３のスクラッチ操作手段を兼用できる。このことは、アナログレコードプレーヤのスクラッチ操作に習熟している演奏者にとっては極めて操作し易いユーザインターフェースを提供することとなる。更に、アナログレコードプレーヤ５にてアナログレコードを再生しながらデータ再生装置３から音楽データを再生することもできる。これにより、演奏者がアナログレコードプレーヤ５のオーディオ出力とデータ再生装置３のオーディオ出力を選択的に切り替えるスイッチ或はマニピュレータを操作しながらアナログレコードをスクラッチ操作することにより、２つのオーディオ音源のスクラッチ音或は再生音をスイッチの操作だけで瞬時に切り替えることが実現できる。また、本発明における回転検出装置は、ターンテーブル５ａ上のアナログレコード４に対してくっつけたり離したり出来るので、データ再生装置３に対して、アナログレコードプレーヤ５のトーンアーム５ｄ及びヘッドシェル５ｃと等しい操作感覚を演奏者にもたらす。このことにより、出力切替えスイッチを設けなくとも、トーンアーム５ｄを上下させる操作と同様に回転体９ａを上下させることでも、アナログレコードの再生音とデータ再生装置３の再生音を選択的に、または同時に出力することができる。
【００２５】
（第２実施形態）
図８は、この発明の第２実施形態に係る回転検出装置を備えるスクラッチ再生システムの構成図である。なお、図１〜図７に示す部分と同一の部分については、同一の番号を付して詳細な説明を省略する。
回転検出装置１１は、図８に示すように、検出部１２と切替部１３とを備えており、検出部１２はイメージセンサ１２ａと、遅延回路１２ｂと、コンパレータ１２ｃとを備えている。
【００２６】
イメージセンサ１２ａは、アナログレコード４を画像データとして読み取るセンサである。イメージセンサ１２ａは、アナログレコード４のレーベル面４ｂなどに光を照射して反射光を受光し反射面の画像を常時画像データとして読み込むとともに、この画像データを遅延回路１２ｂ及びコンパレータ１２ｃに出力する。遅延回路１２ｂは、予め設定された時間だけ画像データを遅延させる回路であり、コンパレータ１２ｃは画像データの変化に基づいてアナログレコード４の回転速度及び回転方向を検出する回路である。コンパレータ１２ｃは、イメージセンサ１２ａが出力する画像データと遅延回路１２ｂが出力する画像データとを比較して回転速度及び回転方向を演算する。
【００２７】
切替部１３は、コンパレータ１２ｃが出力するパルス信号をＯＮ又はＯＦＦして、検出部１２を検出動作と非検出動作とに切り替える電気スイッチである。この第２実施形態には、第１実施形態の効果に加えて、アナログレコード４のスクラッチ操作を非接触で検出することができる。
【００２８】
（他の実施形態）
この発明は、以上説明した実施形態に限定するものではなく、種々の変形又は変更が可能であり、これらもこの発明の範囲内である。
（１）　この実施形態では、データ再生装置３を例に挙げて説明したが、アナログレコード４のスクラッチ操作に同期してミキサやエフェクタなどの他の電子機器のパラメータをリアルタイムで制御して、エコー時間や中心周波数を変化させることができる。また、この第１実施形態では、支持部材１０ａを回転させて検出部９を検出動作と非検出動作とに切り替えているが、電気スイッチなどによって切り替えてもよい。
【００２９】
（２）　この第１実施形態では、アナログレコード４の回転速度及び回転方向を回転体９ａによって検出しているが、この回転体９ａの回転むらなどによるノイズ成分の影響をデータ再生装置３側のオーディオデータが受けないように、検出部９の出力信号から特定周波数成分をフィルタ回路などによって除去してもよい。また、この第２実施形態では、アナログレコード４のレーベル面４ｂの画像を読み取っているが、イメージセンサ１２ａの解像度を上げてアナログレコード４の記録溝の画像を読み取ることもできる。
【００３０】
【発明の効果】
この発明のディジタルオーディオデータ再生システムによれば、タイムコードを含む特殊なアナログレコードを使用していない。従って、用途に応じて通常のアナログレコードと特殊なアナログレコードを取り換える必要性はもはやなく、オーディオ信号処理、特にスクラッチ再生の操作を大幅に簡略化できる。
この発明のディジタルオーディオ再生システムによれば、ディジタルオーディオデータ再生装置に特別な改良を加える必要がなく、市販のものをそのまま使用できる。加えて、既存のアナログレコードプレーヤの基本構造に殆ど改造を加えることなく、回転検出装置をこのプレーヤに容易に装着でき、しかも回転速度検出装置は構造が単純で部品点数も比較的少ない。従って、この発明によるディジタルオーディオデータ再生システムを簡単に低経費で作製できる。
また、単一のレコードプレーヤを操作するだけで、アナログレコードのスクラッチ再生音とディジタルオーディオ機器のスクラッチ再生音とを瞬時に切替えることが可能になる。
以上より、演奏者（操作者）にとっては複数のレコードプレーヤを用意する必要が無くなり、演奏の為のスペースが節約される。
また、単一のレコードプレーヤの操作によって、アナログレコードのスクラッチ再生動作とディジタルオーディオ機器のスクラッチ再生動作を同時に行えるので、演奏者（操作者）の演奏の幅が広がり、極めて有用である。
【図面の簡単な説明】
【図１】この発明の第１実施形態に係る回転検出装置を備えるスクラッチ再生システムの構成図である。
【図２】この発明の第１実施形態に係る回転検出装置をアナログレコードプレーヤに装着した状態を示す図であり、（Ａ）は平面図であり、（Ｂ）は正面図である。
【図３】この発明の第１実施形態に係る回転検出装置の斜視図である。
【図４】この発明の第１実施形態に係る回転検出装置の平面図である。
【図５】この発明の第１実施形態に係る回転検出装置の側面図である。
【図６】この発明の第１実施形態に係る回転検出装置の検出動作時（ＯＮ）の正面図である。
【図７】この発明の第１実施形態に係る回転検出装置の非検出動作時（ＯＦＦ）の正面図であり、図７（Ａ）はターンテーブルのシェルスタンド穴の形状を示す平面図であり、図７（Ｂ）はシェルスタンドスタンド穴に回転検出装置を装着した状態を示す正面図であり、図７（Ｃ）は回転検出装置の底面図である。
【図８】この発明の第２実施形態に係る回転検出装置を備えるスクラッチ再生システムの構成図である。
【符号の説明】
１　スクラッチ再生システム
２　光ディスク
３　データ再生装置
４　アナログレコード
５　アナログレコードプレーヤ
５ａ　ターンテーブル
６　回転検出装置
９　検出部（検出手段）
９ａ　回転体
９ｂ　ロータリエンコーダ
１０　切替部（切替手段）
１０ａ　支持部材
１１　回転検出装置
１２　検出部（検出手段）
１３　切替部（切替手段）
１２ａ　イメージセンサ
１２ｂ　遅延回路
１２ｃ　コンパレータ
Ｐ１　，Ｐ２　　回転位置
【図１】
2004087094.tif 000003
【図２】
2004087094.tif 000004
【図３】
2004087094.tif 000005
【図４】
2004087094.tif 000006
【図５】
2004087094.tif 000007
【図６】
2004087094.tif 000008
【図７】
2004087094.tif 000009
【図８】
2004087094.tif 000010